(57)【要約】【課題】生体認証行為をローカライズし、応答性の改善を図り、制御指数の制限を無くす。【解決手段】本発明の入退域照合システムは、生体情報の認証を用いて管理区域の入退域を管理する入退域照合システムＳであって、入退域者Ｐの生体情報が予め記録され入退域者Ｐが管理区域に入退域する際に所持される携帯情報記録手段１ｔと、携帯情報記録手段１ｔを所持する入退域者Ｐが管理区域に入退域する際に携帯情報記録手段１ｔに記録される生体情報を読み取る携帯情報記録読取手段２、２ａと、携帯情報記録読取手段２、２ａから入力される読み取られた生体情報と、入退域者Ｐが管理区域に入退域する際に入退域者Ｐから読み取った生体情報とを照合し、両生体情報が合致する場合には認証可とする一方、両生体情報が合致しない場合には認証否とする認証手段３とを備える。【選択図】図１
2010090677.tif 000002
【特許請求の範囲】
【請求項１】
生体情報の認証を用いて管理区域の入退域を管理する入退域照合システムであって、
入退域者の生体情報が予め記録され該入退域者が前記管理区域に入退域する際に所持される携帯情報記録手段と、
前記携帯情報記録手段を所持する入退域者が前記管理区域に入退域する際に前記携帯情報記録手段に記録される生体情報を読み取る携帯情報記録読取手段と、
該携帯情報記録読取手段から入力される前記読み取られた生体情報と、前記入退域者が前記管理区域に入退域する際に前記入退域者から読み取った生体情報とを照合し、前記両生体情報が合致する場合には認証可とする一方、前記両生体情報が合致しない場合には認証否とする認証手段とを
備えることを特徴とする入退域照合システム。
【請求項２】
前記認証手段の認証可否の情報が入力され、認証可の場合には開閉手段を開く制御を行い前記入退域者の通行を可とする一方、認証否の場合には前記開閉手段を閉じた制御を行い前記入退域者の通行を不可とする制御手段を備える
ことを特徴とする請求項１に記載の入退域照合システム。
【請求項３】
前記制御手段は、前記入退域者に付され読取りまたは入力される識別情報に応じて、前記開閉手段を開制御するかまたは閉制御する
ことを特徴とする請求項２に記載の入退域照合システム。
【請求項４】
前記入退域者に付された識別情報は、前記入退域者が所持する前記携帯情報記録手段に記録される
ことを特徴とする請求項３に記載の入退域照合システム。
【請求項５】
生体情報の認証を用いて管理区域の入退域を管理する入退域照合方法であって、
携帯情報記録書き込み手段によって、予め、入退域者が前記管理区域に入退域する際に所持する携帯情報記録手段に、前記入退域者の生体情報が記録されるステップと、
前記携帯情報記録手段を所持する入退域者が前記管理区域に入退域する際に、携帯情報記録読取手段が前記携帯情報記録手段に記録される生体情報を読み取るステップと、
前記入退域者が前記管理区域に入退域する際に、認証手段が、前記入退域者から読み取った生体情報と前記携帯情報記録読取手段が読み取った前記携帯情報記録手段の生体情報とを照合し、前記両生体情報が合致する場合には認証可とする一方、前記両生体情報が合致しない場合には認証否とするステップとを
含むことを特徴とする入退域照合方法。
【請求項６】
前記制御手段は、前記認証手段の認証可否の情報が、認証可の場合には開閉手段を開く制御を行い前記入退域者の通行を可とする一方、認証否の場合には前記開閉手段を閉じる制御を行い前記入退域者の通行を不可とするステップを含む
ことを特徴とする請求項５に記載の入退域照合方法。
【請求項７】
前記制御手段は、前記入退域者に付され読取りまたは入力される識別情報に応じて、前記開閉手段を、制御するかまたは閉制御するステップを含む
ことを特徴とする請求項６に記載の入退域照合方法。
【請求項８】
前記入退域者に付された識別情報は、前記入退域者が所持する前記携帯情報記録手段に記録される
ことを特徴とする請求項７に記載の入退域照合方法。
【請求項９】
生体情報の認証を用いて管理区域への入退域を管理する入退域照合プログラムであって、
コンピュータに、
携帯情報記録書き込み手段によって、予め、入退域者が前記管理区域に入退域する際に所持する携帯情報記録手段に入退域者の生体情報を記録するステップ、および
前記携帯情報記録手段を所持する入退域者が前記管理区域に入退域する際に、認証手段によって読み取られた前記入退域者の生体情報と、携帯情報記録読取手段によって読み取られた前記携帯情報記録手段に記録される生体情報との照合結果が合致する場合には開閉手段を開く制御を行い前記入退域者の通行を可とする一方、合致しない場合には前記開閉手段を閉じる制御を行い前記入退域者の通行を不可とするステップを
実行させることを特徴とする入退域照合プログラム。
【請求項１０】
前記管理区域に入退域する際に前記入退域者に付され読取りまたは入力される識別情報に応じて、前記開閉手段を開制御するかまたは閉制御するステップを実行させる
ことを特徴とする請求項９に記載の入退域照合プログラム。
【請求項１１】
前記入退域者に付された識別情報は、前記入退域者が所持する前記携帯情報記録手段に記録される
ことを特徴とする請求項１０に記載の入退域照合プログラム。
【発明の詳細な説明】
【技術分野】
【０００１】
本発明は、指静脈等の生体認証を用いた入退域照合システム、入退域照合方法、およびそのプログラムに関する。
【背景技術】
【０００２】
従来、生体認証である指静脈認証を用いて、ビル等の建物への入館、入室等の可否を決定する方法においては、ドア付近に設置され入館者等の指静脈情報を読み取る指静脈認証装置とは離隔された位置に配置されたデータベースに、予め登録された指静脈情報が記憶されている。なお、１人当たりの指静脈パターンの情報量は、３００〜７００バイトのデータ量であり、例えば、１人当たりの指静脈の情報量を３００バイトとすると、１００人で３０ｋ(キロ)バイト、１０００人で３００ｋバイト、５０００人で１５００ｋバイトと人数が増加するに従い、膨大なデータ量となる。
【０００３】
そして、入館者、入室者等が入館、入室に際して、ドア付近の指静脈認証装置に指を翳すと、指静脈認証装置にデータベースから予め登録された指静脈情報が送信され、翳された指の指静脈と送信された予め登録された指静脈情報とが照合され、一致する場合には、ドアが開制御される一方、一致しない場合には、ドアが閉じられたままとなる。
【０００４】
その他の指静脈認証による入館、入室等の方法としては、入館者、入室者等が入館、入室するに際して、ドア付近の指静脈認証装置に指を翳すととともに、入館者、入室者等がドア付近のカード読み取り装置にＩＣカードを翳すことにより、入館者、入室者等に予め付されたグループＮｏが読み取られ、或いは、入館者、入室者等がドア付近のテンキーの入力装置に自身の予め付されたグループＮｏを入力する。すると、登録された指静脈情報が記憶されたデータベースから、読み取られたグループＮｏまたは入力されたグループＮｏが登録された指静脈情報が指静脈認証装置に送信され、翳された指の指静脈と該グループＮｏの指静脈情報との照合が行われ、一致する場合には、ドアが開制御される一方、一致しない場合には、ドアが閉じられたままとなる。
【０００５】
なお、指静脈による認証の操作短縮を図った文献公知発明としては、特許文献１がある。
【特許文献１】特開２００７−２９３３９６号公報(段落００２６〜００２８、図１、図４、図５)
【発明の開示】
【発明が解決しようとする課題】
【０００６】
ところで、上述の第１の指静脈認証による入館、入室の方法は、予めデータベースに登録された指静脈情報が多人数になった場合、多数の予め登録された指静脈情報との認証は困難を極める。例えば、予めデータベースに登録された５０００人分の指静脈情報から、入館、入室に際して指静脈認証装置に翳された指の指静脈情報と一致する予め登録された指静脈情報を見つけるのは難しく、時間もかかる。
【０００７】
一方、予め入館者、入室者等に付されたグループＮｏで抽出したデータベースに登録された指静脈情報と、入館、入室に際して指静脈認証装置に翳された指の指静脈情報とを照合する第２の方法は、指静脈情報による照合は簡易化されるものの、急に来訪した客などの場合、予め、データベースに登録された指静脈情報がないため、入館、入室の照合が不可能であるという事態が発生し、入館、入室の照合に限界がある。
従って、不特定多数の多人数の入館、入室に適用することは困難である。
【０００８】
本発明は上記実状に鑑み、生体情報の認証行為をローカライズすることが可能で、応答性の改善を図れるとともに制御指数の制限を無くし得る入退域照合システム、入退域照合方法、およびそのプログラムの提供を目的とする。
【課題を解決するための手段】
【０００９】
上記目的を達成すべく、第１の本発明に関わる入退域照合システムは、生体情報の認証を用いて管理区域の入退域を管理する入退域照合システムであって、入退域者の生体情報が予め記録され該入退域者が管理区域に入退域する際に所持される携帯情報記録手段と、携帯情報記録手段を所持する入退域者が管理区域に入退域する際に携帯情報記録手段に記録される生体情報を読み取る携帯情報記録読取手段と、携帯情報記録読取手段から入力される読み取られた生体情報と、入退域者が管理区域に入退域する際に入退域者から読み取った生体情報とを照合し、両生体情報が合致する場合には認証可とする一方、両生体情報が合致しない場合には認証否とする認証手段とを備えている。
【００１０】
第２の本発明に関わる入退域照合方法は、生体情報の認証を用いて管理区域の入退域を管理する入退域照合方法であって、携帯情報記録書き込み手段によって、予め、入退域者が管理区域に入退域する際に所持する携帯情報記録手段に、入退域者の生体情報が記録されるステップと、携帯情報記録手段を所持する入退域者が管理区域に入退域する際に、携帯情報記録読取手段が携帯情報記録手段に記録される生体情報を読み取るステップと、入退域者が管理区域に入退域する際に、認証手段が、入退域者から読み取った生体情報と携帯情報記録読取手段が読み取った携帯情報記録手段の生体情報とを照合し、両生体情報が合致する場合には認証可とする一方、両生体情報が合致しない場合には認証否とするステップとを含んでいる。
【００１１】
第３の本発明に関わる入退域照合プログラムは、生体情報の認証を用いて管理区域への入退域を管理する入退域照合プログラムであって、コンピュータに、携帯情報記録書き込み手段によって、予め、入退域者が管理区域に入退域する際に所持する携帯情報記録手段に入退域者の生体情報を記録するステップ、および、携帯情報記録手段を所持する入退域者が管理区域に入退域する際に、認証手段によって読み取られた入退域者の生体情報と、携帯情報記録読取手段によって読み取られた携帯情報記録手段に記録される生体情報との照合結果が合致する場合には開閉手段を開く制御を行い入退域者の通行を可とする一方、合致しない場合には開閉手段を閉じる制御を行い入退域者の通行を不可とするステップを実行させている。
【発明の効果】
【００１２】
本発明によれば、生体情報の認証行為をローカライズすることが可能で、応答性の改善を図れるとともに制御指数の制限を無くし得る入退域照合システム、入退域照合方法、およびそのプログラムを実現できる。
【発明を実施するための最良の形態】
【００１３】
以下、本発明の実施形態について添付図面を参照して説明する。
＜＜第１実施形態＞＞
＜セキュリティシステムＳの概要＞
図１は、本発明の実施形態に係るセキュリティシステムＳのハードウェア構成を示す概念図である。
第１実施形態のセキュリティシステムＳは、予めＩＣ(Integrated Circuit)タグに入場者Ｐの指静脈情報を格納し、建物(図示せず)に入場するに際して、入場のためのドアｄ近傍での指静脈認証装置３で読み取られる入場者Ｐの指静脈情報と、入場者Ｐが所持するＩＣタグに格納される指静脈情報とを照合し、一致するか否かで入場の認証を行うものである。
これにより、認証のローカライズが可能となり、認証の応答性の改善を行えるとともに、制御指数の制限をなくすることができる。
【００１４】
以下、第１実施形態のセキュリティシステムＳの構成について詳細に説明する。
＜セキュリティシステムＳの全体構成＞
図１に示すように、第１実施形態のセキュリティシステムＳは、入場の際に入場者Ｐが所持する名札１に内蔵されるＩＣタグ１ｔと、名札１内のＩＣタグ１ｔに情報の書き込み読み取りを行うタグリーダ／ライタ２と、建物、部屋等の出入口に設けられる自動ドアのドアｄの近傍に設置され入場者Ｐの指静脈情報を読み取る指静脈認証装置３と、該ドアｄの開閉を行うドアコントローラ４と、タグリーダ／ライタ２、指静脈認証装置３、ドアコントローラ４等がネットワーク５を介して接続されセキュリティシステムＳ全体の制御を行うサーバ６と、サーバ６にネットワーク５を介して接続されセキュリティシステムＳでの各種入出力を行う端末装置７(７ａ、７ｂ、７ｃ)とを備え構成されている。
【００１５】
＜ＩＣタグ１ｔ＞
名札１には、ＩＣタグ１ｔが内蔵されており、このＩＣタグ１ｔには、入場者Ｐの指静脈情報が入場前に予め記録されている。
【００１６】
＜タグリーダ／ライタ２＞
タグリーダ／ライタ２は、ＩＣタグ１ｔとの間で指静脈情報等のデータの送受信を行いＩＣタグ１ｔに書き込みおよびＩＣタグ１ｔの情報の読取りを行う装置である。
タグリーダ／ライタ２は、リーダ・ライタモジュール(図示せず)を有しており、ＩＣタグ１ｔとの通信を担う電磁誘導方式またはマイクロ波方式のアンテナ２ａ(２ａ1、２ａ2、２ａ3)と接続されている。
【００１７】
タグリーダ／ライタ２のリーダ・ライタモジュールは、変調を含むＲＦ回路、検波・整流回路、データの読み出し書込みを制御するマイコンなどとのインターフェース回路等を有し構成されている。
図１に示すように、タグリーダ／ライタ２のアンテナ２ａ(２ａ1、２ａ2、２ａ3)は、通路に複数設けられているが、任意の複数または単数としてもよい。
【００１８】
＜指静脈認証装置３＞
指静脈認証装置３は、例えば、近赤外線を指に透過させて得られる静脈パターンの画像から静脈の部分を人工知能手法で鮮明な静脈パターンとして検出する装置であり、図１に示すドアｄ前で入室者の指静脈パターンを読取り、該読取った指静脈パターンと、ＩＣタグ１ｔに予め登録された指静脈パターンとを照合して個人の認証を行う装置である。
指静脈認証装置３は、その認証可否の結果のみを、例えば、認証可は「１」、認証否は「０」のデジタル信号をサーバ６に送信する。
【００１９】
ここで、ドアｄを介しての入場を許可する個人、すなわち入場者Ｐには、入場に際して入場者Ｐが所持する名札１に内蔵されるＩＣタグ１ｔに、予め、入場者Ｐの指静脈パターンを登録しておく。
なお、指静脈認証装置３を用いる指静脈認証は、認証ログ機能、すなわち指静脈認証の履歴情報がサーバ６内の記憶装置に記録され、該ログを確認することで誰が入室したか確認することができるように構成している。
【００２０】
＜ネットワーク５＞
ネットワーク５は、有線または無線のＬＡＮ(Local Area Network)であるが、ＷＡＮ(Wide Area Network)、インターネットなど、ＬＡＮに限定されないのは勿論である。
【００２１】
＜サーバ６＞
サーバ６は、入出力、アクセス、通信制御等の各種制御を行うコンピュータであり、中央処理装置であるＣＰＵ(Central Processing Unit)、記憶装置である主記憶装置、およびＨＤＤ(Hard Disk Drive)等の補助記憶装置を有している。
補助記憶装置には、セキュリティシステムＳを稼動させるためのセキュリティシステムプログラム(入退域照合プログラム)が格納されており、ＣＰＵが該セキュリティシステムプログラムを主記憶装置にロードし実行することにより、セキュリティシステムＳの制御が具現化される。
補助記憶装置は、セキュリティシステムＳのデータを記憶するデーターベース(以下、ＤＢと称す)(図示せず)が格納されている。
【００２２】
＜サーバ６のＤＢ＞
サーバ６に格納されるＤＢには、入場した人の指静脈パターン、入場が不許可となった人の指静脈パターン等のログ、すなわち入場に際しての認証の履歴情報が指静脈認証を行った時刻とともに格納されている。
【００２３】
＜端末装置７＞
端末装置７(７ａ、７ｂ、７ｃ)は、セキュリティシステムＳを管理する警備員、管理員等が使用する汎用ＰＣ、携帯端末、ＰＤＡ(Personal   Digital  Assistants)等であり、演算装置であるＣＰＵ(Central Processing Unit)、記憶装置のＲＡＭ(Random Access Memory)、ＲＯＭ(Read Only Memory)、ハードディスク装置、キーボード、マウス等の入力装置７ａ1、７ｂ1、７ｃ1、およびセキュリティシステムＳの画面等の情報が表示される出力装置である表示部７ａ2、７ｂ2、７ｃ2を有している。
【００２４】
キーボード、マウス等の入力装置７ａ1、７ｂ1、７ｃ1は、警備員、管理員等がセキュリティシステムＳにログオンし、セキュリティシステムＳのオペレーションを行う際に使用される。
なお、図１に示す端末装置７(７ａ、７ｂ、７ｃ)は、建物の警備員、管理員等が建物のセキュリティ維持のために視認するものであり、異常発生に際して発せられる警報や警報ガイダンス等も表示される。
【００２５】
＜＜セキュリティシステムＳの制御＞＞
次に、セキュリティシステムＳの制御について、図２に従って説明する。
なお、図２は、第１実施形態のセキュリティシステムＳの制御の流れを示すフローチャートである。
【００２６】
まず、図２のＳ１１において、警備員、管理員等が、図１に示す端末装置７を用いてサーバ６にアクセスし、予め、図示しない指静脈認証装置で入場予定の入場者Ｐの指から読み取りサーバ６のＤＢに記憶される指静脈パターンを、図示しないタグリーダ／ライタ(携帯情報記録書き込み手段)で、名札１に内蔵されたＩＣタグ１ｔに記録する。
そして、入場予定の入場者Ｐに、入場前に自身の指静脈パターンが記録されたＩＣタグ１ｔが内蔵される名札１を渡す。
【００２７】
図２のＳ１２において、渡された名札１を付けた入場者Ｐが入場する際に、図１に示すように、通路をドアｄに向かって歩いてくる際(図１のポジション(１)、(２))、タグリーダ／ライタは、アンテナ２ａ(２ａ1、２ａ2、２ａ3)を介して、名札１内のＩＣタグ１ｔに記録される指静脈パターンを読み取る。
読み取った指静脈パターンは、図１に示すように、タグリーダ／ライタ２から、ネットワーク５を介して、指静脈認証装置３に送信される。
【００２８】
図２のＳ１３において、入場者Ｐは、入場するために、ドアｄ近傍の指静脈認証装置３に指を翳し(図１に示すポジション(３))、指静脈パターンを読み取らせる。
図２のＳ１４において、指静脈認証装置３は、入場時に入場者Ｐからを読み取った指静脈パターンと、タグリーダ／ライタ２から送信された名札１内のＩＣタグ１ｔに記録される指静脈パターンとを照合し、合致するか否かの判定を行う。
【００２９】
図２のＳ１４において、指静脈認証装置３で両指静脈パターンが合致すると判定された場合(図２のＳ１４でＹes)には、図２のＳ１５において、指静脈認証装置３から認証可の信号が、ネットワーク５を介して、サーバ６に送信され、サーバ６からネットワーク５を介してドアコントローラ４にドアｄを開く開制御信号が送信され、ドアコントローラ４によってドアｄが開制御され、ドアｄが開かれ入場者Ｐが入場することができる。
【００３０】
一方、図２のＳ１４において、指静脈認証装置３で両指静脈パターンが合致しないと判定された場合(図２のＳ１４でＮo)には、図２のＳ１６において、指静脈認証装置３から、ネットワーク５を介して、認証否の信号がサーバ６に送信され、サーバ６から、ネットワーク５を介してドアコントローラ４にドアｄを閉じたままの閉制御信号が送信され、ドアコントローラ４によってドアｄが閉制御され、ドアｄが閉じられたままとなり、入場者Ｐが入場することができない。
以上が、図２に示すセキュリティシステムＳの制御である。
【００３１】
＜作用効果＞
上記構成によれば、入場者Ｐが所持する名札１内のＩＣタグ１ｔに、予め、入場者Ｐの指静脈パターンを記録し、入場する際に入場者Ｐから実際に読み取った指静脈パターンと入場者Ｐが所持する名札１内のＩＣタグ１ｔに記録された指静脈パターンとを照合し、合致する場合には照合可とし、ドアｄを開制御し入場をさせ、両指静脈パターンが合致しない場合には、照合否とし、ドアｄを閉制御のままとし、入場をさせない。
【００３２】
このように、入場者Ｐが所持する名札１内のＩＣタグ１ｔに予め記録された指静脈パターンと、入場時の入場者Ｐから実際に読み取った指静脈パターンとで、認証が行われるので、指静脈情報による認証が簡易化される。
また、入場者Ｐが多数にのぼる場合にも、指静脈情報による認証が簡易なので、容易に適用できる。従って、指静脈情報による認証の適用範囲の拡大が可能である。
従って、生体情報の認証行為をローカライズすることが可能で、応答性の改善が行えるとともに、制御指数の制限を無くすることができる。
【００３３】
＜＜第２実施形態＞＞
次に、第２実施形態のセキュリティシステム２Ｓについて説明する。
第２実施形態のセキュリティシステム２Ｓは、入場者Ｐが入場するに際して、第１実施形態の入場者Ｐの指静脈パターンの認証に加え、入場者Ｐに付した識別情報の管理ＩＤ(Ｉdentification)で入場エリアを決定し、指静脈パターンの認証と管理ＩＤの認証との結果によって、入場の可否を決定するものである。
その他の構成は、第１実施形態のセキュリティシステムＳと同様であるから、同様な構成要素には、同一の符号を付して示し、詳細な説明は省略する。
以下、第２実施形態のセキュリティシステム２Ｓについて、第１実施形態のセキュリティシステムＳとは異なる構成について詳細に説明する。
【００３４】
＜名札１＞
入場者Ｐに入場前に渡すセキュリティシステム２Ｓの名札１にはＩＣタグ１ｔが内蔵されており、このＩＣタグ１ｔには、入場前に予め入場者Ｐから読み取った指静脈パターンが記録されるとともに、建物の入場エリアを管理するための管理ＩＤが記録されている。
なお、管理ＩＤとは、個人別にセキュリティレベルに応じて入場エリアを決定するためのものである。
【００３５】
＜タグリーダ／ライタ２＞
タグリーダ／ライタ２は、ＩＣタグ１ｔとの間で指静脈情報や管理ＩＤ等のデータの送受信を司る装置であり、リーダ・ライタモジュール(図示せず)やＩＣタグ１ｔとの通信を担うアンテナ２ａ(２ａ1、２ａ2、２ａ3)を有している。
【００３６】
＜サーバ６のＤＢ＞
サーバ６に格納されるＤＢには、ＩＣタグ１ｔに記録された管理ＩＤ、該管理ＩＤが記録されたＩＣタグ１ｔを所持する人の氏名、住所、所属(○○会社△△部××取締役)等の個人データ、該管理ＩＤの建物内の入場許可エリアを示す入場エリア識別子、入場エリア識別子に関連付けられたドア名称、該管理ＩＤの有効無効を示す無効フラグ等の情報が記憶されている。なお、無効フラグのデフォルト値は「ＮＵＬＬ」であり、管理ＩＤが無効の場合には、警備員、管理員等のオペレーションにより、無効フラグ「１」がたてられる。
【００３７】
＜端末装置７＞
端末装置７(７ａ、７ｂ、７ｃ)のキーボード、マウス等の入力装置７ａ1、７ｂ1、７ｃ1は、警備員、管理員等がセキュリティシステムＳにログオンし、セキュリティシステムＳの運用画面において、ＩＣタグ１ｔに付す新しい管理ＩＤを登録したり、新しく登録した管理ＩＤの各種情報(管理ＩＤが記録されたＩＣタグ１ｔを所持する人の氏名、住所、所属等の個人データ、該管理ＩＤの入場エリア識別子、入場エリア識別子に関連付けられたドアｄのコード、該管理ＩＤの無効フラグ等)を登録したり、或いは、例えば管理ＩＤが記録されたＩＣタグ１ｔを内蔵する名札１を落とした場合等に、該管理ＩＤを使用不可とする場合などのセキュリティシステム２Ｓのオペレーションに用いられる。
【００３８】
＜＜セキュリティシステム２Ｓの制御＞＞
次に、第２実施形態のセキュリティシステム２Ｓの制御について、図３に従って説明する。
なお、図３は、第２実施形態のセキュリティシステム２Ｓの制御の流れを示すフローチャートである。
【００３９】
まず、図３のＳ２１において、警備員、管理員等が、図１に示す端末装置７を用いてセキュリティシステムＳの運用画面を表示し、セキュリティシステムＳが適用される建物の入場者Ｐを管理する管理ＩＤを、サーバ６のＤＢに登録するとともに、該ＤＢに登録した管理ＩＤを図示しないタグリーダ／ライタで、建物への入場者Ｐが付ける名札１に内蔵されるＩＣタグ１ｔに記録する。
なお、管理ＩＤは、システムプログラムによって自動採番して、サーバ６のＤＢに登録するようにしてもよい。
【００４０】
続いて、図３のＳ２２において、警備員、管理員等が、図１に示す端末装置７を用いてサーバ６にアクセスし、予め図示しない指静脈認証装置で読み取り、サーバ６のＤＢに登録される建物に入場予定の入場者Ｐの指静脈パターンを、図示しないタグリーダ／ライタで、名札１に内蔵されたＩＣタグ１ｔに記録する。
そして、入場予定の入場者Ｐに、自身の指静脈パターンおよび管理ＩＤが記録されたＩＣタグ１ｔが内蔵される名札１を入場前に渡す。
【００４１】
図３のＳ２３において、渡された名札１を付けた入場者Ｐが、図１に示すように、入場するために通路をドアｄに向かって歩いてくる際(図１のポジション(１)、(２))、タグリーダ／ライタ２は、アンテナ２ａ(２ａ1、２ａ2、２ａ3)を介して、名札１内のＩＣタグ１ｔに記録される指静脈パターンおよび管理ＩＤを読み取る。
読み取った指静脈パターンは、図１に示すように、タグリーダ／ライタ２から、ネットワーク５を介して、指静脈認証装置３に送信されるとともに、読み取った管理ＩＤは、タグリーダ／ライタ２から、ネットワーク５を介して、サーバ６に送信される。
続いて、図３のＳ２４において、入場者Ｐは、入場に際してドアｄ近傍の指静脈認証装置３に指を翳し、自身の指静脈パターンを読み取らせる(図１に示すポジション(３))。
【００４２】
図３のＳ２５において、指静脈認証装置３は、入場時に入場者Ｐからを読み取った指静脈パターンと、タグリーダ／ライタ２から送信された名札１内のＩＣタグ１ｔに記録される指静脈パターンとを照合し、合致するか否かの判定を行う。
図３のＳ２５において、指静脈認証装置３で両指静脈パターンが合致すると判定された場合(図３のＳ２５でＹes)には、図３のＳ２６において、指静脈認証装置３から認証可の信号が、ネットワーク５を介して、サーバ６に送信され、サーバ６において、図３のＳ２３で送信された名札１内のＩＣタグ１ｔの管理ＩＤでＤＢをリードし、該管理ＩＤの入場域識別子から入場しようとするドアｄが該管理ＩＤに許可されたエリア内のドアｄであり、かつ、該管理ＩＤのレコードの無効フラグが「ＮＵＬＬ」であり該管理ＩＤが無効でないか否かの判定がなされる。
【００４３】
一方、図３のＳ２５において、指静脈認証装置３で両指静脈パターンが合致しないと判定された場合(図３のＳ２５でＮo)には、図３のＳ２８において、指静脈認証装置３から、ネットワーク５を介して、認証否の信号がサーバ６に送信され、サーバ６から、ネットワーク５を介して、ドアコントローラ４にドアｄを閉じたままの閉制御信号が送信され、ドアコントローラ４によってドアｄが閉制御され、ドアｄが閉じられたままとなり、入場者Ｐが入場することが不可能となる。
【００４４】
図３のＳ２６において、管理ＩＤの入場域識別子から入場しようとするドアｄが該管理ＩＤに許可されたエリア内のドアであり、かつ、管理ＩＤの無効フラグが「ＮＵＬＬ」であり該管理ＩＤが無効でないと判定された場合(図３のＳ２６でＹes)には、図３のＳ２７において、サーバ６からネットワーク５を介してドアコントローラ４にドアｄを開く開制御信号が送信され、ドアコントローラ４によってドアｄが開制御され、ドアｄが開かれ入場者Ｐが入場することができる。
一方、図３のＳ２６において、入場域識別子から入場しようとするドアｄが該管理ＩＤに許可されたエリア内のドアでないか、または、管理ＩＤの無効フラグが「１」であり該管理ＩＤが無効であると判定された場合(図３のＳ２６でＮo)には、図３のＳ２８に移行し、ドアｄが閉じられたままとなり、入場者Ｐが入場することが不可能となる。
以上が、図３に示すセキュリティシステム２Ｓの制御である。
【００４５】
＜作用効果＞
上記構成によれば、第１実施形態の作用効果に加え、管理ＩＤでドアｄが入場許可エリア内のドアか否か判定し入場の可否を決定するので、入場のエリア制御を行うことができる。
また、管理ＩＤの無効フラグを用いて、管理ＩＤの有効無効を判断するので、事業用ビルでの急な退職者の発生等の事態の変化に迅速に対応できる。
【００４６】
なお、第１、第２実施形態では、入場者Ｐが入場する場合を例示して説明したが、退場する場合も同様に適用可能であり、また、建物内の各室に通じるドアの入退室に本発明を適用してもよいことは、勿論である。
また、第１、第２実施形態では、建物を例示して説明したが、複数の建物、建物以外の一定の区域等、建物以外にも、本発明は有効に適用可能である。
また、指静脈認証を生体認証の１例として、説明したが、生体認証は、指静脈認証以外に指紋認証、顔による認証、目の眼球による認証、手の平の静脈認証等でもよく、指静脈認証以外の生体認証を適用することも可能である。
なお、指静脈認証を例示して説明したが、生体認証に限らず、認証データが「ある程度」のＶolumeを持っている場合は、適用可能である。
なお、上述の指静脈、指紋等の生体情報を含む認証データは、暗号化されてＩＣタグ１ｔ等の携帯情報記録手段に記録されることにより、更なるセキュリティの向上を図れる。
【００４７】
また、開閉手段として、自動ドアのドアｄを例示して説明したが、自動ドア以外に、フロアのドアの電気錠、入退室管理等に使用されるフラッパゲート、駐車場の出入り口を開閉する駐車場ゲート、ビル出入り口のシャッタ、ビル内のエリアの防火シャッタ等、開閉手段は自動ドアに限定されないのは勿論である。
【００４８】
なお、第１、第２実施形態においては、携帯情報記録手段として、ＩＣタグ１ｔを例示して説明したが、ＩＣタグ以外にＩＣカード、携帯電話、ＰＤＡ等、入場者Ｐに携帯される携帯情報記録手段であれば、ＩＣタグ１ｔでなくともよくＩＣタグ１ｔに限定されない。
また、第１、第２実施形態においては、識別情報の管理ＩＤが、入場の際に入場者Ｐが所持する携帯情報記録手段のＩＣタグ１ｔに記録される場合を例示して説明したが、管理ＩＤをＩＣタグ１ｔに記録することなく、入場口のドアｄ近傍に設置されたテンキー等の入力手段に入場者Ｐ自身で管理ＩＤを入力する構成としてもよい。
【図面の簡単な説明】
【００４９】
【図１】本発明の実施形態に係るセキュリティシステムのハードウェア構成を示す概念図である。
【図２】第１実施形態のセキュリティシステムの制御の流れを示すフローチャートである。
【図３】第２実施形態のセキュリティシステムの制御の流れを示すフローチャートである。
【符号の説明】
【００５０】
２      タグリーダ／ライタ(携帯情報記録読取手段)
２ａ    タグリーダ／ライタのアンテナ(携帯情報記録読取手段)
３      指静脈認証装置(認証手段)
６      サーバ(制御手段、コンピュータ)
１ｔ    ＩＣタグ(携帯情報記録手段)
２Ｓ    セキュリティシステム(入退域照合システム)
ｄ      ドア(開閉手段)
Ｐ      入場者(入退域者)
Ｓ      セキュリティシステム(入退域照合システム)
【図１】
2010090677.tif 000003
【図２】
2010090677.tif 000004
【図３】
2010090677.tif 000005